【手続補正書】
【提出日】平成27年9月8日(2015.9.8)
【手続補正１】
【補正対象書類名】明細書
【補正対象項目名】００１４
【補正方法】変更
【補正の内容】
【００１４】
図２は、島端計数装置６の外観斜視図を示している。島端計数装置６は、本体１９の上面に凹状に設けられ、遊技者が遊技により獲得した獲得玉（獲得媒体）を受入れる投入口２０ａ及び当該投入口２０ａの中央に形成された放出口２０ｂを備えた投入容器２０、この投入容器２０の投入口２０ａを開放・閉鎖するスライドカバー２１（カバー部材に相当。図２はスライドカバー２１が投入口２０ａを開放する開放位置にスライド移動されている状態を示し、図３はスライドカバー２１が投入口２０ａを閉鎖する閉鎖位置にスライド移動されている状態を示す）、計数情報等の各種情報を表示する表示機能及び従業員や遊技者からの操作入力を受付ける入力受付機能を有するタッチパネル式の液晶表示部２２、島端計数装置６の状態を示すためのＬＥＤ表示部２３、計数値及び当該計数値を記録した２次元コードやバーコード等が印字されたレシート２４（記録媒体に相当。図４参照）を発行するレシート発行口２５（発行手段）、会員カード２６（図４参照）を受付ける会員カード受付口２７、従業員が所持する従業員ＩＣカード２８（図４参照）が翳されている状態で当該従業員ＩＣカード２８に内蔵されているＩＣチップ２８ａに記憶されている従業員情報を読取る従業員カードリーダ２９、本体１９の前面に設けられて余り玉を放出する玉返却口３０、緊急時にスライドカバー２１を開閉するためのスライドカバー開閉キー３１（図２はスライドカバーで閉鎖されている状態を示している）等を備えて構成されている。
【手続補正２】
【補正対象書類名】明細書
【補正対象項目名】００１５
【補正方法】変更
【補正の内容】
【００１５】
島端計数装置６は、ＣＰＵ、ＲＯＭ等からなる制御部、ＣＦ（コンパクトフラッシュ（登録商標））、ＲＡＭ及びＲＯＭ等からなる記憶部、Ｉ／Ｆからなる送受信部等を備え、ＲＯＭに記憶されている制御プログラムにしたがって動作する。
島端計数装置６は、会員カード受付口２７に会員カード２６が受付けられるか、従業員が従業員ＩＣカード２８を従業員カードリーダ２９に翳すことで従業員の認証操作が行われ、スライドカバー２１のロックが解除されてスライド移動されることにより投入口２０ａが開放されると、計数可能な状態となる。従業員又は遊技者が獲得玉を投入口２０ａに投入すると、獲得玉は投入口２０ａで一旦受け止められた後、放出口２０ｂから落下して当該放出口２０ｂの奥に設けられている計数センサにより計数される。このように獲得玉を計数中にあるときは計数値を逐一更新する。
【手続補正３】
【補正対象書類名】明細書
【補正対象項目名】００１７
【補正方法】変更
【補正の内容】
【００１７】
図４は、島端計数装置６の構成を機能ブロック図により示している。島端計数装置６は、ＣＰＵ３２ａ、ＲＯＭ３２ｂ、ＲＡＭ３２ｃ、Ｉ／Ｏ３２ｄを有する制御部３２（計数手段、従業員識別手段、遊技者識別手段、ロック解除手段、計数結果記録手段、記録有効化手段に相当）、液晶表示部２２、当該液晶表示部２２の表面に設けられたタッチパネル３３、計数値を印字したレシート２４をレシート発行口２５から発行するレシート発行部３４、会員カード２６に内蔵されたＩＣチップ２６ａから会員ＩＤを読取る会員カードリーダ３５、従業員カードリーダ２９、ＬＥＤ表示部２３、スライドカバー２１を自動ロックするカバーロック部３６（ロック機構に相当）、玉を計数する計数部３７、パチンコ玉を払出す返却部３８、各種信号を管理装置９と送受信するＩ／Ｆ部３９等を備えて構成されている。
【手続補正４】
【補正対象書類名】明細書
【補正対象項目名】００１８
【補正方法】変更
【補正の内容】
【００１８】
次に、上記構成の作用について説明する。
遊技者は、遊技機２から獲得した玉を計数する場合は、玉を玉箱に収納して島端計数装置６まで運ぶ。島端計数装置６は、遊技者が接近したことを図示しない人検知センサで検知したり、液晶表示部２２にタッチされたりすると、メニュー画面を表示する。
＜係員計数モード＞
この係員計数モード（従業員計数状態に相当）は、担当従業員が立ち会って計数することを前提としたセキュリティ重視の運用で、担当従業員が従業員ＩＣカード２８による認証操作を行い、スライドカバー２１のロックを解除して計数するモードである。
メニュー画面には、図５（ａ）に示すように「ご自分で貯玉する方はセルフ貯玉ボタンにタッチしてください」というメッセージ２２ａが表示されると共に、「係員を呼ぶ」ボタン２２ｂ、「セルフ貯玉  会員専用」ボタン２２ｃが表示される。
【手続補正５】
【補正対象書類名】明細書
【補正対象項目名】００１９
【補正方法】変更
【補正の内容】
【００１９】
遊技者が「係員を呼ぶ」ボタン２２ｂにタッチすると、係員計数モードが設定され、図５（ｂ）に示す呼出中画面が表示される。呼出中画面には、「係員呼び出し中  しばらくお待ちください」というメッセージ２２ｄが表示されると共に、「キャンセル」ボタン２２ｅが表示される。このとき、担当従業員に対して島端計数装置６に駆けつけることを要求するメッセージが例えばインカム装置により音声案内される。尚、「キャンセル」ボタン２２ｅにタッチすることによりメニュー画面に戻ることができる。
島端計数装置６に駆けつけた担当従業員が従業員ＩＣカード２８を島端計数装置６に翳すと、図５（ｃ）に示すように「カバーを開けて玉を流してください」というメッセージ２２ｆが表示される。このとき、スライドカバー２１のロックが解除されるので、担当従業員はスライドカバー２１を手動で開放する。尚、従業員ＩＣカード２８が島端計数装置６に翳された場合は、図５（ａ）で示す待機中、或いは図５（ｂ）で示す従業員の呼出中のいずれのタイミングに関わらずスライドカバー２１のロックは解除される。
【手続補正６】
【補正対象書類名】明細書
【補正対象項目名】００２０
【補正方法】変更
【補正の内容】
【００２０】
スライドカバー２１が開放された島端計数装置６に玉を流すと、図５（ｄ）に示す計数中画面が表示される。計数中画面には計数中のタイトル２２ｇ、及び計数中の玉数２２ｈが表示される。このように計数が始まると、キャンセルはできない。計数が完了すると、図５（ｅ）に示す計数完了画面が表示される。計数完了画面には計数完了のタイトル２２ｉ、「ボタンにタッチしてください」というメッセージ２２ｊ、「全部発券」ボタン２２ｋ（記録操作手段に相当）が表示される。
遊技者が「全部発券」ボタン２２ｋにタッチすると、レシート２４が発券される。このとき、図示しない精算ボタンにタッチすると、図５（ｆ）に示すご利用画面が表示される。ご利用画面にはレシート２４に印刷された計数玉数２２ｌが表示される。
【手続補正７】
【補正対象書類名】明細書
【補正対象項目名】００２２
【補正方法】変更
【補正の内容】
【００２２】
＜セルフ貯玉モード＞
上述した係員計数モードの場合、担当従業員がスライドカバー２１のロックを解除して計数に立ち会うことからセキュリティが高いものの、担当従業員を一々呼び出す必要があり、利便性が悪い。そこで、このセルフ貯玉モード（遊技者計数状態に相当）は、信頼性の高い会員遊技者が自身で玉を流して予め設定された上限値まで貯玉が可能なモードである。
会員遊技者が図５（ａ）に示すメニュー画面において「セルフ貯玉  会員専用」ボタン２２ｃをタッチすると、セルフ貯玉モードが設定され、図６（ｂ）に示すように「会員カードを入れてください」というメッセージ２２ｍが表示されると共に、「係員呼出」ボタン２２ｎ、「キャンセル」ボタン２２ｅが表示される。「キャンセル」ボタン２２ｅをタッチすると、メニュー画面に戻る。尚、一般遊技者の場合は「係員呼出」ボタン２２ｎにタッチする。タッチすると、上述した係員計数モードの呼出中画面（図５（ｂ））が表示される。
【手続補正８】
【補正対象書類名】明細書
【補正対象項目名】００２３
【補正方法】変更
【補正の内容】
【００２３】
会員遊技者が島端計数装置６に会員カード２６を挿入すると、管理装置９による会員カード２６の認証が行われ、認証に成功すると、スライドカバー２１のロックが解除される。このとき、図６（ｃ）に示すように「カバーを開けて玉を流してください」というメッセージ２２ｆが表示されると共に、「キャンセル」ボタン２２ｅに代えて、「カード返却」ボタン２２ｏが表示される。「カード返却」ボタン２２ｏがタッチされると、会員カード２６が返却されると同時にメニュー画面に戻り、スライドカバー２１がロックされる。
会員遊技者がスライドカバー２１を開放して玉を流すと図６（ｄ）に示す計数中画面が表示される。計数中画面には計数中のタイトル２２ｇ、及び計数中の玉数２２ｈが表示され、「カード返却」ボタン２２ｏの表示が消去する。このように計数が始まると、キャンセルはできない。計数が完了すると、図６（ｅ）に示す計数完了画面を表示する。計数完了画面には計数完了のタイトル２２ｉ、「カバーを閉めてください」というメッセージ２２ｐが表示される。
【手続補正９】
【補正対象書類名】明細書
【補正対象項目名】００２４
【補正方法】変更
【補正の内容】
【００２４】
会員遊技者によりスライドカバー２１が閉鎖されてロックされると、図示しない「全部貯玉」ボタン（記録操作手段に相当）が表示されるので、その「全部貯玉」ボタンにタッチすると、図６（ｆ）に示すご利用画面が表示される。ご利用画面には貯玉預入数２２ｑと貯玉口座残高２２ｒが表示される。
尚、セルフ貯玉モードでの操作中に担当従業員による認証操作が行われた場合は、上述した係員計数モードに移行する。
要するに、セルフ貯玉モードは信頼性の高い会員遊技者が自分で島端計数装置６のスライドカバー２１を開放して計数することができるものの、計数玉を貯玉した後にスライドカバー２１を開放したまま会員遊技者が立ち去った場合には一般遊技者による不正計数行為が行われてしまう虞があることから、スライドカバー２１を閉鎖してロックしたことを条件として貯玉を可能とすることにより遊技者一人一人の計数処理を確実に区分することができ、セキュリティを担保することができる。
【手続補正１０】
【補正対象書類名】図面
【補正対象項目名】図５
【補正方法】変更
【補正の内容】
【図５】
2014124462.tif 000001
【手続補正１１】
【補正対象書類名】図面
【補正対象項目名】図６
【補正方法】変更
【補正の内容】
【図６】
2014124462.tif 000002